(57)【要約】【課題】本発明は、従来に無い非常に簡単な構造を有した文房工具である。本品を挿着することにより、人差し指一本、もしくは親指を軽く添える程度で正確に作業ができる。さまざまな作業により手、指にかかる負担を軽減することができます。安価で、児童から大人までが使用できる汎用性を持った文房工具を提供する。【解決手段】本発明は、人差し指に軽量な指挿入式一体型１の指先挿入部より人差し指を入れ挿着し、その上でより人差し指が固定されるよう固定化ベルト３を持って締めるとより安定感が増し、例えば、筆記においては文字、絵、記号等正確に書くことができる。従来の三本指で書くのと同じように書くことができるものである。【選択図】図１
2007320301.tif 000002
【特許請求の範囲】
【請求項１】
本発明は、指先と市販の文房具、工具類を一体化させることにより、各作業の効率化を図り、さらに、より正確さを増すことを目的とした文房工具に関するものである。握力不足の人達、指のけがなどをしている人達のために、一本の指で親指、人差し指、中指で行なう能力に近い作業を、実現可能化の文房工具類に関するものである。
【請求項２】
本来の筆記の形態は、人差し指、親指、中指を用いて色々な作業をするが、すべてに重要なのは、各指の第一関節がしっかり固定されていることが正確さの基本である。また、本品は、第一関節の完全固定化により、人差し指一本だけでも筆記作業が可能となるものである。工具などの工作作業においても同様に作業が可能となるものである。
【請求項３】
文字、絵、記号などの筆記作業をより正確にするために、後部にグリップ用ベルトを設けたものである。なお、子供から大人まで使用できるように、Ｓ、Ｍ、Ｌ、他、数サイズの交換が可能とする。工具などの工作作業においても同様に作業が可能となるものである。
【請求項４】
人差し指以外の他の指でも筆記できるように、指密着補正部をＳ、Ｍ、Ｌ、他、数サイズを用意する。
【請求項５】
子供から大人までが、より正確に筆記できるよう、１本体のサイズもＳ、Ｍ、Ｌ、他、数サイズを用意する。
【請求項６】
本発明における主要部分は、軟質プラスチック、硬質プラスチック、軽金属、皮、布製等を用いて製造可能である。
【請求項７】
指密着補正部は、各人の指の大きさ、形状の違いを補うために、材質は軟性のウレタンフォームを用い、さらに、伸縮性のあるガーゼ状布地をウレタンフォームにくるんだものである。例えば、靴の中に用いる中敷の役目のようなものである。
【請求項８】
本体１は、指ムレ防止などのために、指先部分に開口部を設け、指の汗などの吸収用に、１ｄにガーゼ状の布地を用いたものである。指の押着化とより正確な筆記のために３グリップ用ベルトを設け、各指のサイズの違いをマジックテープで調節することができる。また、マジックテープにより瞬時に着脱が可能である。グリップ用ベルトの内側にも、ウレタンフォームにガーゼ状布地をけたものである。
【請求項９】
文具、工具等の接合取り付け部は、着脱が瞬時に行なうための金属製クリップ、プラスチック樹脂クリップ等のクリップ型、合成軟質性体ゴムと止め金具の組み合わせ方式型（図９）、弾性体ゴムと成型プラスチック加工止めの組み合わせ方式型（図１０）等が最適である。
【発明の詳細な説明】
【技術分野】
【０００１】  本発明は、指先と市販の文房具、工具類を一体化させることにより各作業の効率化を図り、さらに、より正確さを増すことを目的とした文房工具である。握力不足の人達、指のけがをしている人達のために一本の指で、親指、人差し指、中指の筆記能力に近い作業を実現可能化の文房工具に関するものである。
【背景技術】
【０００２】  従来の文房工具類の使用方決は、手に持って行う作業の一つである。例えば、筆記作業は親指、人差し指、中指の三本の指で筆記具を持ち、各指の握力を保持、継続し調整して筆記をしていた。
【発明の開示】
【発明が解決しようとする課題】
【０００３】  以上に述べた、従来の手に持って行う作業の形態は、親指、人差し指、中指の三本の各指を、それぞれの握力を微妙に調整しなければならなかった。【０００４】  本発明は、従来の問題を解決しようとするものであり、本発明の多用途指一体型文房工具を挿着することにより、人差し指一本もしくは、中指一本、他の指でも作業は可能である。本品は、着脱が簡単であるため、他の作業と平行しながら、思うように作業ができることを目的とするものである。
【課題を解決するための手段】
【０００５】  本発明は、上記目的を達成するために、親指、人差し指、中指の三本の指で文房工具類を握らなくても、正確に作業できるものであり、筆記作業及び他の作業による指への負担が大幅に軽減できる。【０００６】  第２の課題解決手段は、例えば筆記作業する時人差し指、または人差し指に親指を軽く添える程度で書くことができる。【０００７】  上記における課題解決手段による作用は、人差し指一本、または人差し指に親指を軽く添える程度で作業ができる本品であるため、小さく軽量且つ、構造も簡単である。
【発明の効果】
【０００８】  本発明は、長時間の作業においての、指の疲労による不正確さを補助するものである。また、指の疲労の軽減にも役立つものである。【０００９】  本品を挿着することにより、指先が固定されたため作業時の握力は不要となり手、指にかかる負担を大幅に軽減できるものである。【００１０】  各指一本でもけがをした場合、作業を行なうのは困難であるが、本品を使用することにより、人差し指一本、中指一本、他の指での作業が可能である。
【発明を実施するための最良の形態】
【００１１】  以下、本発明の実施の形態を図に基づいて説明する。１は、ウレタン樹脂等の、耐久性プラスチック適宣素材にて形成された、一本の指を挿着固定する本体。人差し指を指先挿入部より挿入し、指先部を挿着し固定する。１ａ開口部はムレを防ぐための通気口。１本体の内側４は密着性を増すためにウレタンフォームを使用。さらに、隙間をなくし、よりフィットするように、そして、ムレ防止のためにも効果がある伸縮性ガーゼ状布地をウレタンフォームに施す。【００１２】  ２は、１本体に一体化されている図１１筆ペン、図１２筆ペン取り付け時の前面、図１３太筆二指用、図１４鉛筆、図１５クレヨン、図１６ボールペン、図１７ミニライト、図１８ミニシェーパー等を取り付けたものである。指一体化のため、瞬時に他の作業に移ることができ、支障なく作業を進める効果がある。【００１３】  人差し指の負傷で、文字等の筆記作業の困難な人には中指、薬指でもほぼ正確に筆記できます。例えば、大事な試験の時けがで書けない。人差し指をけがして、筆記具を持てない人のために、大変役立つものである。
【図面の簡単な説明】
【００１４】
【図１】  本発明の実施使用を示す挿着図
【図２】  同本体の上面図
【図３】  同本体の側面図
【図４】  同本体の前面図
【図５】  同本体の図３における中間断面図
【図６】  同本体の図３における後面図
【図７】  同本体のクリップを広げた状態図
【図８】  同本体の図３における断面図
【図９】  合成ゴム＋止め金具
【図１０】  合成ゴム＋成型プラスチック
【図１１】  筆ペン使用状態を示す側面図
【図１２】  筆ペン使用状態を示す側面図
【図１３】  太筆用二指式使用前面図
【図１４】  鉛筆使用状態を示す側面図ズ
【図１５】  クレヨン使用状態を示す側面図
【図１６】  ボールペン使用状態を示す側面図
【図１７】  ミニライト使用状態を示す側面図
【図１８】  ミニ、シェーパー使用状態を示す側面図
【符号の説明】
【００１５】１    本体
１ａ  指先開口部
１ｂ  固定化フレ止め部
１ｃ  グリップ用ベルト通し切り込み部
２    筆記具密着補正部
２ａ  固定クリップ
２ｂ  固定クリップ
２ｃ  固定クリップ
２ｄ  筆記具密着お及び保護部
２ｅ  弾性体合成ゴム
２ｆ  取付金具Ａ
２ｇ  取手
２ｈ  取付金具Ｂ
２ｉ  クッション用フォーム
２ｊ  成型軟質プラスチック
２ｋ  取手
２ｌ  取付フック部
３    グリップ用ベルト
３ａ  マジックテープ
３ｂ  ３の裏、指密着補正部
４    指密着補正部
【図１】
2007320301.tif 000003
【図２】
2007320301.tif 000004
【図３】
2007320301.tif 000005
【図４】
2007320301.tif 000006
【図５】
2007320301.tif 000007
【図６】
2007320301.tif 000008
【図７】
2007320301.tif 000009
【図８】
2007320301.tif 000010
【図９】
2007320301.tif 000011
【図１０】
2007320301.tif 000012
【図１１】
2007320301.tif 000013
【図１２】
2007320301.tif 000014
【図１３】
2007320301.tif 000015
【図１４】
2007320301.tif 000016
【図１５】
2007320301.tif 000017
【図１６】
2007320301.tif 000018
【図１７】
2007320301.tif 000019
【図１８】
2007320301.tif 000020